(57)【要約】  四電極型のＰＤＰの技術において、放電タイミングの集中を緩和して電極での電圧降下による、表示負荷率依存の輝度低下を防止できる技術である。ＰＤＰ１０の前面基板上に、第１の方向に、第１（Ｘ）電極、第２（Ｙ）電極、及びその間の第３（Ｚ）電極を平行に有する。基板間には、Ｒ，Ｇ，Ｂの各色のセル３を区画する隔壁と、各色の蛍光体層とを有する。セル３の各々において、Ｘ，Ｙ電極の間隔が略一定である。各色のセル３でＸ，Ｙ電極とＺ電極との間隔（ＸＺ，ＹＺ）を変えた構造である。特にＲでの間隔が狭くＢでの間隔が広い構造である。【特許請求の範囲】
【請求項１】
第１の基板と、前記第１の基板に対向するように配置され、前記第１の基板との間に放電ガスが封入された放電空間を形成する第２の基板とを備え、
前記第１の基板は、
第１の方向に伸びるように、略平行に交互に配置され放電を行う複数の第１電極及び第２電極と、
前記第１電極と第２電極の間に配置された複数の第３電極と、
前記第１、第２及び第３電極を覆う誘電体層とを有し、
前記第２の基板は、
第２の方向に前記第１、第２及び第３電極と交差するように設けられる複数の第４電極を有し、
前記第１と第２の基板間には、
複数のセルにおける前記第１の方向を区画する隔壁と、
前記隔壁の間に区別して塗布される複数の色の蛍光体層とを有するプラズマディスプレイパネルであって、
前記セルの各々において、前記第１と第２の電極の間隔が略一定であり、
前記複数の各色のセルのうちで、少なくとも１つの色のセルにおける前記第１及び第２電極と前記第３電極との間隔が、その他の色のセルにおける前記第１及び第２電極と前記第３電極との間隔と異なる構成であることを特徴とするプラズマディスプレイパネル。
【請求項２】
請求項１記載のプラズマディスプレイパネルにおいて、
前記第３電極は、可視光を透過する第３透明電極と、前記第３透明電極よりも抵抗値の低い直線状の第３バス電極とを有して成り、
前記第３透明電極は、前記第３バス電極のラインからの前記第２の方向への突出部分における前記第１及び第２電極と対向するエッジが、前記第１及び第２電極のエッジと略平行となる形状であり、
前記複数の各色のセルにおける前記第３透明電極の突出部分が矩形状であり、その前記第２の方向の長さが異なることを特徴とするプラズマディスプレイパネル。
【請求項３】
請求項１記載のプラズマディスプレイパネルにおいて、
前記第３電極は、可視光を透過する第３透明電極と、前記第３透明電極よりも抵抗値の低い直線状の第３バス電極とを有して成り、
前記第３透明電極は、前記第３バス電極のラインからの前記第２の方向への突出部分における前記第１及び第２電極と対向するエッジが、前記第１及び第２電極のエッジと所定の角度をなす形状であり、
前記複数の各色のセルにおける前記第３透明電極の突出部分が直角三角形状であり前記角度が異なることを特徴とするプラズマディスプレイパネル。
【請求項４】
請求項１記載のプラズマディスプレイパネルにおいて、
前記複数の各色のセルにおいて、放電電圧が最も低い特性を持つ赤色のセルにおける前記第１及び第２電極と前記第３電極との間隔が、その他の色のセルにおける前記第１及び第２電極と前記第３電極との間隔よりも狭いことを特徴とするプラズマディスプレイパネル。
【請求項５】
請求項１記載のプラズマディスプレイパネルにおいて、
前記複数の各色のセルにおいて、青色のセルにおける前記第１及び第２電極と前記第３電極との間隔が、その他の色のセルにおける前記第１及び第２電極と前記第３電極との間隔よりも広いことを特徴とするプラズマディスプレイパネル。
【請求項６】
請求項１記載のプラズマディスプレイパネルにおいて、
前記第１の基板に設けられた誘電体層は、気相成膜法により形成された珪素化合物であることを特徴とするプラズマディスプレイパネル。
【請求項７】
請求項１記載のプラズマディスプレイパネルにおいて、
前記第１の基板に設けられた誘電体層の厚さを略３μｍ以上２５μｍ以下としたことを特徴とするプラズマディスプレイパネル。
【請求項８】
請求項１記載のプラズマディスプレイパネルにおいて、
前記放電ガスは、少なくともＮｅとＸｅを含む組成とし、前記Ｘｅの混合比を１０％以上３０％以下としたことを特徴とするプラズマディスプレイパネル。
【請求項９】
請求項１記載のプラズマディスプレイパネルと、
前記プラズマディスプレイパネルの各電極を駆動する駆動回路とを備えるプラズマディスプレイ装置であって、
前記セルの各々において、前記第１電極と第２電極との間隔が略一定であり、
前記複数の各色のセルのうちで、少なくとも１つの色のセルにおける前記第１及び第２電極と前記第３電極との間隔が、その他の色のセルにおける前記第１及び第２電極と前記第３電極との間隔と異なる構成であり、
前記駆動回路から前記第１、第２及び第３電極に維持放電のための電圧を印加し、前記複数の各色のセルにおける前記第１及び第２電極と前記第３電極との間隔での放電のタイミングがずれることを特徴とするプラズマディスプレイ装置。
【発明の詳細な説明】
【技術分野】
【０００１】
本発明は、パーソナルコンピュータやワークステーション等におけるディスプレイ装置、平面型の壁掛けテレビジョン、及び広告や情報等の表示用ディスプレイなどの、各種用途のディスプレイのパネルや駆動に係わる技術に関し、特に、ＡＣ型のプラズマディスプレイパネル（ＰＤＰと略称する）、ＰＤＰ及び駆動回路などを含んで構成されるＰＤＰモジュール、及びＰＤＰモジュールを含むＰＤＰ装置（プラズマディスプレイ装置）などの技術に関する。
【背景技術】
【０００２】
近年では、三電極型ＰＤＰが広く使用されている。三電極型ＰＤＰの一般的な構造は、第１基板に第１の方向でＸ電極とＹ電極を交互に平行に設け、第１基板に対向する第２基板に、前記第１の方向のＸ，Ｙ電極に垂直な方向に交差するように伸びるアドレス電極を設け、各電極表面を誘電体層で覆った構造である。第２基板上には、更に、アドレス電極の間に平行に伸びるストライプ状のリブ、または、セルを区画するように配置される２次元格子状のリブを設ける。リブ間に蛍光体層を形成した後、第１及び第２基板を貼り合わせる。【０００３】
また更に、四電極型のＰＤＰとして、前記Ｘ，Ｙ及びアドレス電極に加えて、Ｘ，Ｙ電極間に更にＺ電極を平行に設けた構造も提案されている。Ｚ電極を設けることにより、例えば、トリガ動作、非表示ラインでの放電防止、及びリセット動作などに利用することが可能である。【０００４】
従来のＰＤＰの技術として、特に電極構造に係わり、異ピッチ製品（例えばＲ，Ｇ，Ｂの各色のセルで横ピッチが異なる構造）や、維持放電のためのＸ，Ｙ電極の面積を変えた構造がある。四電極型のＰＤＰについて、特許文献１記載の技術は、リブピッチや四電極目（アドレス放電を行う電極）の面積を変える例である。三電極型のＰＤＰについて、特許文献２記載の技術は、透明電極（放電電極）の幅を変える例である。
【特許文献１】特開２０００−１１３８２１号公報
【特許文献２】特開２００２−５６７８１号公報
【発明の開示】
【発明が解決しようとする課題】
【０００５】
ＰＤＰでは、電極での電圧降下による表示負荷率依存の輝度低下が問題となる。これは、放電タイミングの集中により、瞬時に流れる電流が増大し、細長い電極での電圧降下が大きくなる現象である。特に表示負荷率が大きい場合には電圧降下の量も大きくなり、輝度ムラに繋がる。【０００６】
前記特許文献２の技術では、Ｘ，Ｙ電極の幅を色ごとに変化させ白色の色温度を向上させることはできるが、Ｘ，Ｙ電極の間隔は一定なため、放電タイミングをずらすことはできない。【０００７】
本発明は以上のような問題に鑑みてなされたものであり、その目的は、四電極型のＰＤＰ、ＰＤＰモジュール、プラズマディスプレイ装置などの技術において、前記放電タイミングの集中を緩和して前記電極での電圧降下による表示負荷率依存の輝度低下を防止できる技術を提供することにある。
【課題を解決するための手段】
【０００８】
本願において開示される発明のうち、代表的なものの概要を簡単に説明すれば、次のとおりである。前記目的を達成するために、本発明は、四電極型のＰＤＰ（パネルデバイス）、又はそのＰＤＰに加え駆動回路（ドライバ）などを備えるＰＤＰモジュール又はそのＰＤＰモジュールを備えるプラズマディスプレイ装置（ＰＤＰ装置）などであって、以下に示す技術的手段及び構造を備えることを特徴とする。【０００９】
本ＰＤＰは、四電極構造、すなわち、略平行に配設され維持放電を行う、第１（Ｘ）電極群と、独立して走査駆動可能な第２（Ｙ）電極群と、前記Ｘ，Ｙ電極の間に配置された第３（Ｚ）電極群と、前記Ｘ，Ｚ，Ｙの電極群を覆う誘電体層及び保護層とを有する第１の基板（前面基板）と、前記Ｘ，Ｙ電極群に対して略垂直方向に交差するように配設されるアドレス駆動用の第４（Ａ）電極群を有する第２の基板（背面基板）とを有する構成において、以下に示す構造を有する。【００１０】
本ＰＤＰでは、発光の最小単位となる、複数のセルにおいて、前記第１基板における放電のための複数の電極（Ｘ，Ｚ，Ｙ）の間隔（ＸＺ，ＹＺ）を少しずつ異なるように設計した構造とする。特に、複数の隣接するセルとして、ピクセルを構成するための複数のサブピクセルとなる、Ｒ（赤），Ｇ（緑），Ｂ（青）の各色のセルを有する構成において、これら各色のセルにおいて、前記各電極（Ｘ，Ｙ，Ｚ）の間隔、すなわち放電ギャップの距離を変えた構造とする。本ＰＤＰの構造では、各セルにおいて、前記Ｘ，Ｙ電極の間隔（ＸＹ）が略一定であり、かつ、前記複数の各色のセルのうち、少なくとも１つの色のセルにおいて、前記Ｘ，Ｙ電極とＺ電極との間隔（ＸＺ，ＹＺ）がその他の色のセルにおける同様の間隔と異なるようにした構造とする。例えば前記第１の方向でＲ、Ｇ、Ｂの各色のセルの前記間隔（ＸＺ，ＹＺ）について色ごとに異なる距離を定める。【００１１】
本ＰＤＰの構造により、これら異なる間隔（ＸＺ，ＹＺ）を持つ複数のセルに対して、駆動回路側からサステイン放電駆動用の電圧を印加すると、各セルで前記間隔（ＸＺ，ＹＺ）が異なる構造であるため放電開始電圧が異なり、放電開始タイミングが少しずつ分散される。従って、従来のような放電タイミングの集中が緩和され、これにより前記電極での瞬時に流れる電流の増大が緩和されて、電圧降下が抑制・減少される。よって、前記電圧降下による表示負荷率依存の輝度低下に対処でき、複数のセルにおける輝度ムラが防止できる。より詳しくは以下である。【００１２】
（１）  第１基板（前面基板）と、前記第１基板に対向するように配置され、前記第１基板との間に放電ガスが封入された放電空間を形成する第２基板（背面基板）とを備える。前記第１基板は、第１の方向に伸びる、第１、第２、第３電極を複数本平行に有し、これら電極が誘電体層で覆われる。前記第２基板は、前記第１の方向と交差する第２の方向に伸びる、第４電極（アドレス電極）を複数本平行に有し、これら電極が誘電体層で覆われる。前記各電極に駆動回路側から電圧が印加される。前記第１と第２の基板間（放電空間）では、発光最小単位となるセルに対応した領域を区画する隔壁が少なくとも前記第２の方向に伸びるように設けられる。前記隔壁で区画された複数の領域で、前記第１の方向に、順に、複数の各色｛Ｒ，Ｇ，Ｂ｝の蛍光体層が対応して設けられる。複数の隣接するセルで前記複数の色のパターンが繰り返される。【００１３】
前記第１、第２電極は、略平行に配置される。前記第３電極は、前記第１と第２電極の間に配置され、維持放電用に、第１、第３、第２の三電極（正スリット）で一組の構成（通常方式に対応する）である。あるいは、それに加えて第２、第３、第１の三電極（逆スリット）でも一組の構成（所謂ＡＬＩＳ方式に対応する）である。【００１４】
電極の形状などの物理的な構造において、前記セルの各々において、前記第１と第２の電極の間隔（ＸＹと表し、他の電極の間隔の表記も同様とする）は、ＰＤＰ表示領域全体にわたって略一定であり、前記第３電極とその両側にある第１及び第２電極との間隔（ＸＺ，ＹＺ）は、前記色に応じて異なる。前記複数の色のうち少なくとも１つの色における前記間隔（ＸＺ，ＹＺ）が、その他の色における同様の間隔と異なるように設計される。【００１５】
例えば前記Ｘ，Ｙ電極は、それぞれ、可視光を透過する透明電極（放電電極ともいう）と、それと接する、直線状で前記透明電極よりも抵抗値の低いバス電極（金属電極ともいう）とを有して成る。各透明電極は、バス電極からの前記第２の方向への突出部分を有する。前記突出部分は、隣の電極との間隔すなわち放電ギャップを決定する。例えば、維持放電において、前記Ｚ電極とＹまたはＸ電極との間（ＹＺまたはＸＺ）でトリガ放電を行い、次いで前記ＸとＹ電極の間（ＸＹ）での主放電に移行する。【００１６】
（２）  例えば、前記Ｚ電極は、可視光を透過する透明電極（放電電極）と、前記透明電極よりも抵抗値の低いバス電極（金属電極）とを有して成る。前記Ｚ透明電極の前記第２の方向への突出部分における前記Ｘ，Ｙ電極と対向するエッジが、前記Ｘ，Ｙ電極のエッジと略平行となる形状である。各色のセルにおける前記Ｚ透明電極の突出部分が矩形状であり、その第２の方向での突出の長さが異なることにより、前記間隔（ＸＺ，ＹＺ）の違いが構成される。駆動回路側からＰＤＰの電極群に対し電圧が印加され、各透明電極の突出部分のエッジの間で放電が発生する。【００１７】
（３）  例えば、前記Ｚ透明電極の前記第２の方向への突出部分における前記Ｘ，Ｙ電極と対向するエッジが、前記Ｘ，Ｙ電極のエッジと所定の角度をなす形状である。各色のセルにおける前記Ｚ透明電極の突出部分が三角形状であり、その角度が異なることにより、前記間隔（ＸＺ，ＹＺ）の違いが構成される。【００１８】
（４）  特に、前記複数の各色のセルにおいて、放電電圧（放電開始電圧）が最も低い特性を持つ色、すなわちＲのセルにおける、前記Ｘ，Ｙ電極とＺ電極との間隔（ＸＺ，ＹＺ）が、その他の色のセルにおける同様の間隔よりも狭くなるように構成する。【００１９】
（５）  特に、前記複数の各色のセルにおいて、Ｂのセルにおける前記Ｘ，Ｙ電極とＺ電極との間隔（ＸＺ，ＹＺ）が、その他の色のセルにおける同様の間隔よりも広くなるように構成する。
【発明の効果】
【００２０】
本願において開示される発明のうち、代表的なものによって得られる効果を簡単に説明すれば以下のとおりである。本発明によれば、四電極型のＰＤＰにおいて、特に維持放電で各セルの放電タイミングを分散することができ、前記電圧降下による輝度低下を緩和・防止できる。従って、表示負荷率によらず各セルの輝度を略一定に保つことができ、すなわち輝度ムラを防止できる。
【図面の簡単な説明】
【００２１】
【図１】本発明の一実施の形態におけるＰＤＰ装置の構成としてＰＤＰ及び駆動回路を示すブロック図である。
【図２】本発明の一実施の形態のＰＤＰの一部の分解斜視図である。
【図３】本発明の実施の形態１のＰＤＰ装置における、ＰＤＰのセル及び電極の構造の詳細を示す図である。
【図４】本発明の実施の形態１のＰＤＰ装置における、図３のＰＤＰの行に対応した各電極の間隔、及び、正スリット側のみにＺ電極を設けた通常方式に対応した形態における構造を示す図である。
【図５】本発明の実施の形態１のＰＤＰ装置における、１サブフィールドの駆動波形を示す図である。
【図６】本実施の形態との比較のために、前提技術として三電極型ＰＤＰにおける、Ｘ，Ｙ電極間での１回の維持放電を発生させる場合の放電、電流及び電圧の様子を示す図である。
【図７】本発明の実施の形態１のＰＤＰ装置における、Ｘ，Ｚ，Ｙ電極間での１回の維持放電を発生させる場合の放電、電流及び電圧の様子を示す図である。
【図８】（ａ），（ｂ）は、パッシェンカーブと、本発明の実施の形態１における設計仕様の設定範囲とを示す図である。
【図９】本発明の実施の形態２のＰＤＰ装置におけるＰＤＰのセル及び電極の構造の詳細を示す図である。
【発明を実施するための最良の形態】
【００２２】
以下、本発明の実施の形態を図面に基づいて詳細に説明する。なお、実施の形態を説明するための全図において、同一部には原則として同一符号を付し、その繰り返しの説明は省略する。図１〜５及び図７〜９は、本発明の実施の形態を説明するための図である。図６は、本実施の形態との比較のために前提技術を説明するための図である。【００２３】
（実施の形態１）
実施の形態１のＰＤＰ装置の概要は以下である。第１（Ｘ）、第２（Ｙ）、第３（Ｚ）、第４（Ａ）の電極を有するＰＤＰの構造において、Ｘ，Ｙ，Ｚの各バス電極を直線状で略平行とし、Ｘ，Ｙの各放電電極を同一形状とし、Ｚ電極の放電電極の形状を変えた構成である。横方向（第１の方向）で隣接するＲ，Ｇ，Ｂの各色のセルごとに、Ｚ電極とＸ，Ｙ電極との間隔（ＸＺ，ＹＺ）、特に各放電電極のエッジ間の距離を変えた構成である。特に、Ｒ，Ｇ，Ｂのセルのうち、Ｒにおける前記間隔（ＸＺ，ＹＺ）を狭くし、Ｂにおける前記間隔（ＸＺ，ＹＺ）を広くした構成である。すなわちＲ，Ｇ，Ｂの順で維持放電のための放電開始電圧が高くなるようにした構成である。特に実施の形態１では、セルごとのＺ電極の放電電極の形状を矩形とし、そのエッジと、対向する電極のエッジとを略平行とする。バス電極のライン（第１の方向）において、大きさの異なる矩形状の突出部分のパターンが並んだ櫛（くし)歯状を形成した構成である。【００２４】
＜ＰＤＰ及び駆動回路＞
図１は、実施の形態１におけるＰＤＰ装置の構成として、ＰＤＰ１０及び駆動回路を示すブロック図である。実施の形態１のＰＤＰ装置で使用されるＰＤＰ１０は、第１（Ｘ）、第２（Ｙ）、第３（Ｚ）、及び第４（Ａ）の電極の組からなるセル３で放電を行う四電極型のＰＤＰである。【００２５】
ＰＤＰ装置全体のハードウェア構成としては、シャーシ、ＰＤＰ、ドライバモジュールなどから構成される。ドライバモジュールは、駆動回路（ドライバ）などの回路をフレキシブル基板上にＩＣチップとして実装してモジュール化した部分である。シャーシに対してＰＤＰが接続固定される。ドライバモジュールが、ＰＤＰ端子とシャーシ背面側基板の端子とに接続される。シャーシ背面側基板に、制御回路、電源回路などが実装される。【００２６】
図１で、本ＰＤＰ装置は、制御回路１０１、アドレス駆動回路１０２、走査回路１０３、Ｙ駆動回路１０４、Ｘ駆動回路１０５、Ｚ駆動回路１０６を有する。【００２７】
制御回路１０１は、各駆動回路を含む各部を制御し、ＰＤＰ１０での表示を制御する。制御回路１０１は、外部から入力されるデータ信号などをもとに、表示動作を制御するための制御信号を各駆動回路に出力する。各駆動回路は、制御回路１０１からの制御信号に基づきＰＤＰ１０の電極に対し駆動波形を与える。アドレス駆動回路１０２は、ｍ本のアドレス電極を駆動する。走査回路１０３は、ｎ本のＹ電極に走査パルスを印加する。Ｙ駆動回路１０４は、走査回路１０３を介してｎ本のＹ電極に走査パルス以外の電圧を共通に印加する。Ｘ駆動回路１０５は、ｎ本のＸ電極に電圧を共通に印加する。Ｚ駆動回路１０６は、ｎ本のＺ電極（正スリット側Ｚｏの場合）に電圧を共通に印加する。Ｚ電極に関しては、正逆の両スリット（Ｚｏ，Ｚｅ）で駆動可能な、所謂ＡＬＩＳ方式の駆動が可能な形態を示している。アドレス電極とＹ電極でアドレス動作が行われ、Ｘ，Ｙ，Ｚ電極で維持放電動作が行われる。【００２８】
ＰＤＰ１０は、パネル面の横方向（第１の方向）に直線状に伸びる第１（Ｘ）電極Ｘ｛Ｘ１〜Ｘｎ｝と第２（Ｙ）電極Ｙ｛Ｙ１〜Ｙｎ｝とが交互に配置され、正スリット側の各対のＸ，Ｙ電極の間（ＸＹ）に、第３（Ｚ）電極Ｚ｛Ｚ１〜Ｚｎ｝が配置されている。三本の電極（Ｘ，Ｚ，Ｙ）の組がｎ組形成されている。また、パネル面の縦方向（第２の方向）に直線状に伸びるアドレス電極である第４電極Ａ｛Ａ１〜Ａｍ｝が、前記ｎ組の電極群と交差するように配置されており、その交差部分がセル３となる。従って、ｎ本の表示行とｍ本の表示列からなるセル３群が形成されている。【００２９】
Ｚ電極について、正スリット側に奇数行の電極Ｚｏ｛Ｚ１，……，Ｚｎ｝を有し、その逆スリット側に偶数行の電極Ｚｅ｛Ｚ１，Ｚ２，……｝を配置した構造である。すなわち各電極（Ｘ，Ｙ，Ｚ）が、{Ｘ，Ｚｏ，Ｙ，Ｚｅ，Ｘ，Ｚｏ，Ｙ，Ｚｅ，……}といった順で配置されている。本実施の形態の電極構造は、本ＡＬＩＳ方式に限らず、正スリット側のみ駆動可能な通常方式に対応した形態などにおいても同様に適用可能である。この場合、各電極（Ｘ，Ｙ，Ｚ）が、{Ｘ１，Ｚ１，Ｙ１，Ｘ２，Ｚ２，Ｙ２，……}といった順で配置される。【００３０】
ＡＬＩＳ方式の駆動については公知技術であるので詳細な説明は省略する。Ｚ電極の本数は、Ｘ，Ｙ電極の本数の約２倍となる。ＡＬＩＳ方式では、すべてのＸ，Ｙ電極間が表示ラインとして使用可能である。特に奇数ライン側（Ｚｏ）と偶数ライン側（Ｚｅ）とでのインタレース表示制御が可能である。各電極がグループ化され、それぞれ駆動回路側から駆動される。【００３１】
図２は、実施の形態１でのＰＤＰ１０の一部の分解斜視図である。第１の基板である前面基板１において、第１（Ｘ）電極、第３（Ｚ）電極、第２（Ｙ）電極が、{Ｚｅ，Ｘ，Ｚｏ，Ｙ，Ｚｅ，……}といった順で配置されている。第２の基板である背面基板２において、第４（Ａ）電極（アドレス電極）が配置されている。【００３２】
前面基板１におけるＰＤＰ１０のパネル全幅にわたり、点線で示すように、Ｘバス電極１２、Ｙバス電極１１、Ｚバス電極１５，１６が配設されている。各バス電極の長さは、数十ｃｍ以上であり、Ｘ，Ｙバス電極の間隔は、数百μｍである。【００３３】
Ｘ電極は、第１（Ｘ）透明電極（放電電極ともいう）１４と、第１（Ｘ）バス電極１２とで成る。同様に、Ｙ電極は、第２（Ｙ）透明電極（放電電極）１３と、第２（Ｙ）バス電極１１とで成る。正スリット側のＺ電極は、第３（Ｚ）透明電極（放電電極）１７と、第３（Ｚ）バス電極１５とで成る。また逆スリット側のＺ電極は、第３（Ｚ）透明電極（放電電極）１８と、第３（Ｚ）バス電極１６とで成る。【００３４】
前面基板１上には、横方向（第１の方向）に直線状に伸びるＸバス電極１２及びＹバス電極１１が交互に平行に配置されて対をなしている。そして、Ｘ，Ｙ透明電極１２，１１が、Ｘ，Ｙバス電極１４，１３に重なるように設けられている。一対のＸ，Ｙバス電極１４，１３の間には、Ｚ透明電極１７及びＺバス電極１５が同様に重なるように設けられている。【００３５】
Ｘ，Ｙ透明電極１４，１３は、それぞれ、その一部が各バス電極（１１，１２）のラインから、第２の方向で対向する各Ｚ電極の方へと突出部分として拡がっている形状である。各Ｚ透明電極１７，１８も同様に、その一部が各バス電極（１５，１６）のラインから、第２の方向で対向するＸ，Ｙ電極の方へと突出部分として拡がっている形状である。その詳細は図３で示される。【００３６】
例えば、各バス電極（１２，１１，１５，１６）は、金属層で形成される。各透明電極（１４，１３，１７，１８）は、光透過性となるＩＴＯ（酸化インジウム錫）層膜などで形成される。各バス電極の抵抗値は、各透明電極の抵抗値よりも低いか又は同等である。【００３７】
前面基板１では、各バス電極及び透明電極を覆うように、誘電体層２１が形成されている。誘電体層２１は、気相成膜法（ＣＶＤ）により形成された可視光を透過する珪素化合物（ＳｉＯ２）膜などで形成される。また前記ＣＶＤを使わない場合などにおいて、パネル容量を小さくするため、誘電体層２１の厚さを例えば２５μｍ以下とする。また、異物等による絶縁破壊を防ぐため、誘電体層２１の厚さは３μｍ以上が望ましい。この誘電体層２１の上には、更に保護層２２が形成されている。保護層２２は酸化マグネシウム（ＭｇＯ）などで形成される。また、放電空間の放電ガスは、少なくともＮｅとＸｅを含む組成とし、Ｘｅの混合比を１０％以上とする。また、駆動電圧の上昇を防ぐため、Ｘｅの混合比は３０％以下が望ましい。なお、Ｚ電極層をＸ，Ｙ電極層と同じ層に形成した形態を示しているが、Ｚ電極層をＸ，Ｙ電極層と異なる層に形成した形態なども可能である。以上のような前面基板１を通してセル３の発光を見ることになる。【００３８】
背面基板２上には、前記各バス電極と交差するように、第４電極であるアドレス電極２０が設けられている。アドレス電極２０は、例えば金属層で形成される。アドレス電極２０群の上には、誘電体層２３が形成されている。【００３９】
そして、前面基板１と背面基板２の間で、隔壁（リブ）１９と誘電体層２３で形成される溝の側面と底面には、Ｒ，Ｇ，Ｂの各色の蛍光体層２４｛２４ｒ，２４ｇ，２４ｂ｝が、区別されてその順に繰り返すように塗布されている。各蛍光体層２４は、セル３での放電時に発生する紫外線で励起され、対応するＲ，Ｇ，Ｂの可視光を発生する。Ｒ，Ｇ，Ｂのサブピクセルに対応した三つのセルのセットで１つのピクセルが構成される。ＰＤＰ１０の組み立て工程では、前面基板１と背面基板２が重ね合わせられ、排気され、放電空間に放電ガスが封入され、封止される。【００４０】
＜電極構造＞
図３は、実施の形態１のＰＤＰ装置におけるＰＤＰ１０のセル及び電極の構造の詳細を示す。特に、パネル面横方向（第１の方向）で隣接する各色（Ｒ，Ｇ，Ｂ）のサブピクセルに対応した三列のセル３を示している。図３は、図１及び図２に対応して、正逆の両スリットにＺ電極（Ｚｏ及びＺｅ）を設けた場合である。縦方向で、正スリット側の一組の電極（Ｘ，Ｚｏ，Ｙ）の行４と、その隣の逆スリット側のＺ電極（Ｚｅ）とを示している。【００４１】
図４は、図３の行４に対応した各電極の間隔を示している。また図４は、正逆の両スリットにＺ電極を設けた場合ではなく、正スリット側のみにＺ電極を設けた通常方式に対応した形態における構造にも相当している。【００４２】
図３で、リブ１９及びＸ，Ｙバス電極１２，１１で区分される空間が、それぞれＲ，Ｇ，Ｂの各色のセル３に対応する。縦方向で背面基板２側のアドレス電極２０の位置を点線で示している。行４の（Ｘ，Ｚｏ，Ｙ）と隣接する行との間（逆スリット）においてもＺ電極（Ｚｅ）が設けられており、正逆の両スリットで同様の電極構造を有する。リブ１９間には、アドレス電極２０が、Ｘ，Ｙ電極と交差するように配置されている。【００４３】
Ｘ電極は、Ｘバス電極１２のライン上で、各色のセル３に対応して、Ｘ透明電極１４ｒ，１４ｇ，１４ｂを有する。同様にＹ電極は、Ｙバス電極１１のライン上で、各色のセル３に対応して、Ｙ透明電極１３ｒ，１３ｇ，１３ｂを有する。Ｘ，Ｙ透明電極１４，１３は略同一の形状である。【００４４】
正スリット側のＺ電極（Ｚｏ）は、Ｚバス電極１５のライン上で、各色のセル３に対応して、Ｚ透明電極１７ｒ，１７ｇ，１７ｂを有する。逆スリット側のＺ電極（Ｚｅ）も同様に、Ｚバス電極１６のライン上で、各色のセル３に対応して、Ｚ透明電極１８ｒ，１８ｇ，１８ｂを有する。以下、各透明電極でバス電極と重なる部分については無視して突出部分のみを考える。【００４５】
セル３単位におけるＸ，Ｙ透明電極１４，１３の形状は、縦方向で対向する両方のＺ電極側に突出し、特にＩ型（Ｈ型）の形状である。Ｘ，Ｙ透明電極１４，１３の他電極と対向するエッジは、各バス電極１２，１１のラインと略平行である。セル３単位におけるＺ透明電極１７，１８の形状は、縦方向で対向するＸ，Ｙ電極側に突出し、特に矩形形状である。Ｚ透明電極１７，１８の他電極と対向するエッジは、各バス電極１５，１６のラインと略平行である。Ｘ，Ｙ透明電極１４，１３のエッジとそれに対向するＺ透明電極１７，１８のエッジとは、略平行である。【００４６】
前提技術では、各セルでＺ電極の大きさは同じである。一方、本実施の形態では、隣接する各色のセル３のＺ透明電極１７，１８の大きさを変えた構造である。すなわち、放電のためのＺ電極とＸ，Ｙ電極との間隔（ＸＺ，ＹＺ）を、セル３ごとに変えた構造である。【００４７】
Ｚ透明電極１７，１８は、金属層であるＺバス電極１５，１６の前面基板（ガラス基板）１との密着性の向上、及び、Ｘ，Ｙ電極との放電のための間隔（ギャップ）の設定などのために設けられている。Ｚ透明電極１７，１８及びＺバス電極１５，１６は、例えば、Ｘ，Ｙ電極間（ＸＹ）での主放電に対するトリガ放電のために使用される。【００４８】
図４で、行４において、各色のセル３における電極間隔について示している。なおアドレス電極２０の位置を省略している。Ｘ，Ｚ，Ｙ電極間における各バス電極の間隔（Ｄｘｙ，Ｄｘｚ，Ｄｙｚ）は、パネル全幅にわたって一定である。また特にＤｘｚ＝Ｄｙｚである。なおＤｘｚとＤｙｚが異なる形態も可能である。【００４９】
距離ｄ７は、Ｒのセル３における、ＸＹ間での、Ｘ，Ｙ透明電極１４ｒ，１３ｒの対向するエッジの間隔であり、主放電が起こるギャップである。Ｇ，Ｂのセル３における距離ｄ８，ｄ９についても同様である。これらの各距離（ｄ７〜ｄ９）は略等しい（ｄ７＝ｄ８＝ｄ９）。【００５０】
距離ｄ１は、Ｒのセル３における、ＸＺ間での、Ｘ，Ｚ透明電極１４ｒ，１７ｒの対向するエッジの間隔であり、トリガ放電などが起こるギャップである。Ｇ，Ｂのセル３における距離ｄ２，ｄ３についても同様である。距離ｄ４は、Ｒのセル３における、ＹＺ間での、Ｙ，Ｚ透明電極１３ｒ，１７ｒの対向するエッジの間隔であり、トリガ放電などが起こるギャップである。Ｇ，Ｂのセル３における距離ｄ５，ｄ６についても同様である。これらの各距離（ｄ１〜ｄ６）の関係において、ｄ１＜ｄ２＜ｄ３、ｄ４＜ｄ５＜ｄ６である。また特にｄ１＝ｄ４、ｄ２＝ｄ５、ｄ３＝ｄ６である。なおｄ１とｄ４、ｄ２とｄ５、ｄ３とｄ６が異なる形態も可能である。本例では、放電電圧（放電開始電圧）が一番低くなる特性を持つ色であるＲのセル３での放電ギャップの距離（ｄ１，ｄ４）を一番短く設計し、逆にＢのセル３での距離を一番広く設計した構成である。【００５１】
なお、セル３単位におけるＸ，Ｙ透明電極１４，１３の形状は、前記距離（ｄ１〜ｄ９）が条件を満たす限り、他の形状も可能である。ＰＤＰ１０の構造で、上記のようなセル３の電極構造が、横及び縦方向で同様のパターンで繰り返される。【００５２】
上記電極構造により、各色のセル３において、相対的に、Ｒのセル３ではＺ電極とＸ，Ｙ電極との間隔（ｄ１，ｄ４）の放電開始電圧が低く、Ｂのセル３ではＺ電極とＸ，Ｙ電極との間隔（ｄ３，ｄ６）の放電開始電圧が高く、Ｇのセル３ではそれらの中間程度になる。【００５３】
行４のＸＺ間あるいはＹＺ間に対して電圧を印加した場合、Ｒ，Ｇ，Ｂの各色のセル３での放電ギャップの距離（ｄ１，ｄ４等）が少しずつ異なるために、前記電圧の印加のタイミングは同じでも各色のセル３で放電発生タイミングが少しずつずれることになる。駆動回路側からの駆動波形が同じであっても各色のセル３における放電タイミングをずらすことができ、特にＢの輝度を高める効果が期待できる。【００５４】
＜駆動波形＞
次に、本実施の形態１のＰＤＰ装置の動作として、ＰＤＰ１０の電極の駆動制御を説明する。ＰＤＰ１０の各セル３の点灯／非点灯が選択できる。セル３の点灯の輝度を変化させる、すなわち階調表示するために、公知のサブフィールド分割による制御が行われる。すなわち１フレーム（フィールド）は、所定の重み付けがなされた複数（１０程度）のサブフィールドに分割されており、セルごとに１フレームで点灯するサブフィールドを組み合わせることにより階調表示が行われる。【００５５】
図５は、実施の形態１のＰＤＰ装置における、１サブフィールドの駆動波形を示す。順に、Ｘ，Ｚ，Ｙ，Ａの各電極に印加される電圧の波形を示す。１サブフィールド期間において、順に、リセット期間、アドレス期間、維持放電期間（サステイン期間）を有する。正スリット側の電極群に対する駆動波形を説明する。【００５６】
リセット期間の最初には、アドレス電極（Ａ）２０に０Ｖを印加した状態で、Ｘ，Ｚ電極に、徐々に電圧が低下した後一定電圧になる負のリセットパルス５１を印加し、Ｙ電極に、所定の電圧を印加した後徐々に電圧が増加する正のリセットパルス４１を印加する。これにより、全セル３で、Ｚ電極とＹ放電電極１３の間（ｄ４等）でまず放電が発生し、Ｘ，Ｙ放電電極１４，１３の間（ｄ７等）の放電に移行する。ここで印加されるのは、電圧が徐々に変化する鈍波であるため、微弱な放電と電荷形成を繰り返し、全セル３で一様に壁電荷を形成する。形成された壁電荷の極性は、Ｘ放電電極１４及びＺ電極近傍が正極性、Ｙ放電電極１３近傍が負極性である。【００５７】
次に、Ｘ放電電極１４及びＺ電極の間（ｄ１等）に正の補償電圧５２(例えば＋Ｖｓ）を印加して、Ｙ電極に徐々に電圧が低下する補償鈍波４２を印加する。これにより、前記のように形成された壁電荷とは逆極性の電圧が鈍波で印加されるため、微弱な放電により、セル３内の壁電荷が減少する。以上で、リセット期間が終了し、全セル３が均一な状態になる。【００５８】
本実施の形態ではＺ電極を設けているので、Ｚ電極とＹ放電電極１３との間隔（ｄ２等）が狭く、この放電ギャップで低い放電開始電圧でも放電が発生する。そしてそれをトリガとしてＸ，Ｙ放電電極１４，１３の間（ｄ７等）の放電に移行するので、リセット期間にＸ，Ｚ電極とＹ電極とに印加するリセット電圧を小さくできる。これにより表示に関係しないリセット放電による発光量を低減してコントラストを向上できる。【００５９】
次のアドレス期間では、Ｘ，Ｚ電極に前記補償電圧５２と同じ電圧５３を印加して、Ｙ電極に所定の負電圧を印加した状態で更に走査パルス６３を順次印加する。走査パルス６３の印加に応じて、点灯対象セルのアドレス電極２０にアドレスパルス６４を印加する。これにより、走査パルスの印加されたＹ電極とアドレスパルスの印加されたアドレス電極２０との間で放電が発生し、それをトリガとしてＸ及びＺ電極とＹ電極との間の放電が発生する。このアドレス放電により、Ｘ及びＺ電極の近傍には、負の壁電荷が形成され、Ｙ電極の近傍には正の壁電荷が形成される。Ｚ電極はＸ電極に比べて面積が小さいので、Ｚ電極の近傍に形成される壁電荷の量は、Ｘ電極の近傍に形成される壁電荷の量より少ない。また、Ｙ電極には、Ｘ，Ｙ電極の近傍に形成された負の壁電荷を合わせた壁電荷量に相当する正の壁電荷が形成される。走査パルスまたはアドレスパルスの印加されないセル３では、アドレス放電は発生しないので、リセット時の壁電荷が維持される。アドレス期間では、すべてのＹ電極に順次走査パルスを印加して上記動作を行い、パネル前面の点灯対象セルでアドレス放電を発生させる。なお、アドレス期間の最後には、アドレス放電を発生させなかったセル３において、リセット期間に形成された壁電荷を調整するパルスを印加する場合もある。【００６０】
次に、サステイン期間では、まず、Ｘ及びＺ電極に、電圧−Ｖｓの負の維持放電パルス（サステインパルス）５４を印加し、Ｙ電極に電圧＋Ｖｓの正のサステインパルス４４を印加する。前記アドレス放電が行われたセル３では、Ｙ電極の近傍に形成された正の壁電荷による電圧が電圧＋Ｖｓに重畳され、Ｘ及びＺ電極の近傍に形成された負の壁電荷による電圧が電圧−Ｖｓに重畳される。これにより、まず間隔の狭いＺ，Ｙ電極の間（ｄ４等）で放電が開始され、この放電をトリガとして、間隔の広いＸ，Ｙ電極の間（ｄ７等）の放電に移行する。Ｘ，Ｙ電極間の放電は長距離放電であり、発光効率の良い放電である。この放電は、放電により発生した電荷のうち、正の壁電荷がＸ及びＺ電極の近傍に壁電荷として蓄積され、負の電荷がＹ電極の近傍に壁電荷として蓄積され、壁電荷による電圧がＸ及びＺ電極とＹ電極との間の電圧を減少させることにより収束する（状態ａとする）。収束した時には、Ｘ及びＺ電極の近傍に正の壁電荷が形成され、Ｙ電極の近傍に負の壁電荷が形成される。なお、アドレス放電が行われなかったセル３では上記放電は発生せず、サステイン期間中では放電は発生しないので、説明は省略する。また、本実施の形態では、各色のセル３でＺ電極とＸ，Ｙ放電電極１４，１３との間隔が異なるため放電開始タイミングに差が生じるが、これについては後述する。【００６１】
次に、Ｘ電極に電圧＋Ｖｓの正のサステインパルス５５を印加し、Ｙ電極に電圧−Ｖｓの負のサステインパルス４５を印加し、Ｚ電極に電圧＋Ｖｓに変化した後短時間に電圧−Ｖｓに変化するパルス５６を印加する。これにより、Ｙ電極の近傍に形成された負の壁電荷による電圧が電圧−Ｖｓに重畳され、Ｘ及びＺ電極の近傍に形成された正の壁電荷による電圧が電圧＋Ｖｓに重畳される。これにより、まずＺ，Ｙ電極間（ｄ４等）で放電が開始され、この放電をトリガとして、間隔の広いＸ，Ｙ電極間（ｄ７等）の放電に移行する。この直後、Ｚ電極に印加される電圧は、＋Ｖｓから−Ｖｓに変化し、Ｚ，Ｙ電極の間で放電は停止する。Ｘ，Ｙ電極間の放電は、負の電荷がＸ電極の近傍に壁電荷として蓄積され、正の電荷がＹ電極の近傍に壁電荷として蓄積されると停止するが、この時Ｚ電極には−Ｖｓが印加されているので、Ｚ電極の近傍には正の壁電荷が形成される。従って、収束した時には、Ｘ電極の近傍に負の壁電荷が形成され、Ｙ電極及びＺ電極の近傍に正の壁電荷が形成される。【００６２】
次に、Ｘ電極に電圧−Ｖｓの負のサステインパルス５７を印加し、Ｙ電極に電圧＋Ｖｓの正のサステインパルス４６を印加し、Ｚ電極に電圧＋Ｖｓに変化した後短時間に電圧−Ｖｓに変化するパルス５８を印加する。これにより、Ｘ電極の近傍に形成された負の壁電荷による電圧が電圧−Ｖｓに重畳され、Ｙ及びＺ電極の近傍に形成された正の壁電荷による電圧が電圧＋Ｖｓに重畳される。これにより、まずＺ，Ｘ電極間（ｄ１等）で放電が開始され、この放電をトリガとして、間隔の広いＸ，Ｙ電極間（ｄ７等）の放電に移行する。この直後、Ｚ電極に印加される電圧は、＋Ｖｓから−Ｖｓに変化し、Ｚ，Ｙ電極の間で放電は停止するが、この時Ｚ電極には−Ｖｓが印加されているので、Ｚ電極の近傍には正の壁電荷が形成される。従って、収束した時には、Ｘ及びＺ電極の近傍に正の壁電荷が形成され、Ｙ電極の近傍に負の壁電荷が形成される。すなわち、前記状態ａに戻ったことになる。以下、上記と同様にＸ，Ｙ電極間に交互に正・負のサステインパルスを印加し、サステインパルスの印加に同期してＺ電極に横幅の狭いパルスを印加することにより、上記と同様の動作を繰り返し、維持放電が繰り返される。サブフィールドごとの所定パルス数の印加により維持放電期間が終了する。【００６３】
＜放電タイミング、電流及び電圧＞
次に、図６及び図７を参照して、前記各色のセル３で電極間隔が異なる構成による作用効果として、放電タイミングとその際の電流の集中及び電圧降下について説明する。【００６４】
図６は、前提技術として、Ｚ電極を設けない三電極型ＰＤＰにおいて、全セルでＸ，Ｙ電極の対向するエッジの間隔が等しい構成において、Ｘ放電電極とＹ放電電極の間で１回の維持放電を発生させる場合の様子を示す。上から、Ｘ電極駆動波形、Ｙ電極駆動波形、ＸＹ間の主放電（Ｐとする）、Ｘ，Ｙ電極に流れる電流（Ｉ）、Ｘ，Ｙ電極の電圧（Ｖ）の様子を示す。【００６５】
図７は、実施の形態１の構成において、各色のセル３で、Ｘ放電電極１４，Ｙ放電電極１３及びＺ放電電極１７の間で１回の維持放電を発生させる場合の様子を図６と同様に示す。上から、Ｘ，Ｚ，Ｙの各電極の駆動波形、Ｒ，Ｇ，Ｂの各セル３のＸＹ間の主放電（Ｐｒ，Ｐｇ，Ｐｂとする）、Ｘ，Ｙ電極に流れる電流（Ｉ）、Ｘ，Ｙ電極の電圧（Ｖ）の様子を示す。【００６６】
また、図８（ａ），（ｂ）は、パッシェンカーブと、本実施の形態における設計仕様の設定範囲とを示す。（ａ）は設定範囲の条件を、（ｂ）は（ａ）の設定範囲内で特に複数のセル３でそれぞれ放電開始電圧（すなわち放電ギャップ）の設定を変える場合の設定例を示す。【００６７】
前提技術の構成では、Ｘ放電電極とＹ放電電極の対向するエッジの間隔ｄが全セルで等しく、ガス圧ｐは全セルで同じであるので、ガス圧ｐと間隔ｄの積は全セルで同一である。従って、図８（ａ）のパッシェンカーブではｐｄ積は１つの値であり、全セルの放電開始電圧は等しい。従って、図６に示すように、Ｘ，Ｙ放電電極の間の維持放電（Ｐ）は、全セルにおいて同じタイミングで開始され、放電の強度も同じように増加する。そのため、Ｘ駆動回路及びＹ駆動回路から供給される電流（Ｉ）は、放電（Ｐ）のピークに合わせて急激に増加する。この急激に増加する電流（Ｉ）がＸ及びＹ電極に流れるため、Ｘ及びＹ電極のそれぞれの端に印加される電圧（Ｖ）は、電圧降下により一時的に大きく低下する。このため、一部のセルで、放電強度が低下する、正常に放電が行われない等の問題が生じる。【００６８】
図６で、Ｘ電極の印加パルスが立ち上がり途中のタイミングでＸＹでの主放電（Ｐ）が開始される。この主放電（Ｐ）のために、駆動回路側からＸ，Ｙ電極に電流（Ｉ）を流す必要がある。電流（Ｉ）に比例して電圧降下が激しい。上記電流集中及び電圧降下は、ＰＤＰ１０の表示画面で多数のセルを発光させるためには、すなわち表示負荷率が大きい場合には、更に大きくなる。【００６９】
一方、図７で、本実施の形態１では、前記各色のセル３の各透明電極間隔（放電ギャップ）の距離が異なる構成により、Ｘ，Ｚ，Ｙ電極への電圧の印加において、まず、ＺＹまたはＺＸでのトリガ放電の開始タイミングがずれる。ｅ，ｆ，ｇは、それぞれ、Ｒ，Ｇ，Ｂのセル３でのトリガ放電の開始タイミングを表す。Ｘ電極印加パルスの立ち上がり途中において、Ｒ，Ｇ，Ｂの順でトリガ放電が開始される。これら各トリガ放電がＸＹでの主放電に移行する。ｈ，ｉ，ｊは、それぞれ、Ｒ，Ｇ，Ｂのセル３での主放電（Ｐｒ，Ｐｇ，Ｐｂ）のピークのタイミングを表す。前記トリガ放電のタイミングがずれるので、主放電のタイミングもずれることになる。各主放電のタイミングがずれることにより、電流（Ｉ）も分散（集中の緩和）される。よって、電圧（Ｖ）における電圧降下の量も減少する。【００７０】
前記図７で、Ｙ電極に印加する電圧を低くした後、Ｚ及びＸ電極に印加する電圧を高くする。ここでは、Ｚ電極に印加する電圧がＸ電極に印加する電圧よりも若干早く立ち上がる。Ｚ電極に印加する電圧の増加に伴って、まずｅの時点で、Ｒのセル３で、Ｚ電極とＹ放電電極１３ｒの間の電圧が放電開始電圧ｖ１を超えてその間でのトリガ放電が開始される。次いでｆの時点で、Ｇのセル３で、同様にＺ電極とＹ放電電極１３ｇの間の電圧が放電開始電圧ｖ２を超えてトリガ放電が開始される。更に次いでｇの時点で、Ｂのセル３で、同様にＺ電極とＹ放電電極１３ｂの間の電圧が放電開始電圧ｖ３を超えてその間でトリガ放電が開始される。このように、ＰＤＰ１０のパネル面上でＲ，Ｇ，Ｂの各色のセル３の順にトリガ放電が開始される。この時間差は非常に小さいため、肉眼では識別できない。【００７１】
Ｚ電極とＹ放電電極１３の間でのトリガ放電が開始されるに従って、各色のセル３で、少しずつずれたタイミングで、Ｘ放電電極１４とＹ放電電極１３の間の主放電（Ｐｒ，Ｐｇ，Ｐｂ）も開始される。従って、各主放電（Ｐｒ，Ｐｇ，Ｐｂ）のピーク値のタイミング（ｈ，ｉ，ｊ）は、ｈでＲのセル３での主放電Ｐｒの放電強度が最も早くピーク値になり、次いでｉ，ｊで同様に主放電Ｐｇ，Ｐｂがピーク値になる。【００７２】
上記のように、Ｘ放電電極１４とＹ放電電極１３の間の維持放電（Ｐｒ，Ｐｇ，Ｐｂ）は、異なるタイミングで開始され、放電強度がピーク値になるタイミングも異なるので、Ｘ駆動回路及びＹ駆動回路から各電極に供給される電流（Ｉ）が分散し急激には増加しない。よって、Ｘ，Ｙ電極のそれぞれの端に印加される電圧（Ｖ）の電圧降下の量は、前提技術よりも低減される。【００７３】
図７では、Ｚ電極に印加する電圧をＸ電極に印加する電圧と同じように変化させて、Ｚ電極とＹ放電電極１３の間でトリガ放電を発生させる場合について示した。これに限らず、Ｚ電極とＸ放電電極１４との間でトリガ放電を発生させる場合も同様である。【００７４】
図８（ａ）で、実施の形態１では、パッシェンカーブのパッシェンミニマムより上の範囲で、ｐｄ積及び放電開始電圧の設定範囲（ＰＤ１−ＰＤ２、Ｖ１−Ｖ２）を定める。放電空間に放電ガスを封入して二電極間で放電を発生させる場合、放電の閾値電圧（放電開始電圧）は、二電極間の距離ｄと放電ガスの圧力ｐの積に応じて決定されることが知られている。その変化を示した曲線がパッシェンカーブである。放電開始電圧は、ｐｄ積がある値のときに最小値になり、その状態はパッシェンミニマムと呼ばれる。【００７５】
また図８（ｂ）に示すように、図８（ａ）の設定範囲内でＲ，Ｇ，Ｂの各色のセル３で放電開始電圧が異なるように、設定する。本例では、Ｒ，Ｇ，Ｂの順で放電開始電圧が高くなるように設定している。すなわちＲ，Ｇ，Ｂの順で放電ギャップの距離が短くなるように、前記図３でのｄ１＜ｄ２＜ｄ３のような電極構造としている。ガス圧ｐは全セルで同じであるので、Ｚ電極とＸ放電電極１４の対向するエッジの間隔ｄ１等とガス圧ｐとのｐｄ積は、Ｒのセル３でｐｄ１で示す位置に、Ｇのセル３でｐｄ２に示す位置に、Ｂのセル３でｐｄ３に示す位置になる。それぞれのセル３で対応する放電開始電圧は、ｖ１，ｖ２，ｖ３となる。【００７６】
（実施の形態２）
次に本発明の他の実施の形態として実施の形態２を説明する。実施の形態２のＰＤＰ装置の概要は以下である。実施の形態２は、Ｚ電極の形状を実施の形態１とは異なるものとした構成である。実施の形態２では、セルごとのＺ電極の放電電極の形状を、直角三角形状、すなわちバス電極のライン（第１の方向）及び対向する電極のエッジと所定の角をなす形状とする。バス電極のライン（第１の方向）において、大きさの異なる直角三角形状の突出部分のパターンが並んだ鋸（のこぎり）歯状を形成した構成である。【００７７】
図９は、実施の形態２でのＰＤＰ１０のセル３の構造を前記図３と同様に示す。実施の形態２では、実施の形態１と比べ、Ｒ，Ｇ，Ｂの各色のセル３のＺ放電電極２５｛２５ｒ，２５ｇ，２５ｂ｝（正スリット側），２６｛２６ｒ，２６ｇ，２６ｂ｝（逆スリット側）の形状が異なる。各Ｚ放電電極２５，２６は、Ｚバス電極１５，１６からの突出部分が直角三角形状であり、そのエッジが、各バス電極及び対向するＸ，Ｙ放電電極１４，１３のエッジと、所定の角、本例では４５度以下をなしている。そして、実施の形態１と同様に、各色のセル３で、各放電電極の間隔（ＸＺ，ＹＺ）の距離（ｄ１〜ｄ３及びｄ４〜ｄ６）が異なるように設定されている。駆動波形、放電の様子、設定範囲なども実施の形態１と同様である。【００７８】
上記電極構造によれば、各サブピクセルのセル３内での放電ギャップの距離が横方向で異なることから、製造時に不可避的に発生するセル３間のバラツキの問題に対応できる効果が期待できる。【００７９】
以上、本発明者によってなされた発明を実施の形態に基づき具体的に説明したが、本発明は前記実施の形態に限定されるものではなく、その要旨を逸脱しない範囲で種々変更可能であることは言うまでもない。
【産業上の利用可能性】
【００８０】
本発明は、第１〜第３電極間での放電を行うためのパネル及びフラットディスプレイ装置などに利用可能である。
【図１】
2007023568.tif 000002
【図２】
2007023568.tif 000003
【図３】
2007023568.tif 000004
【図４】
2007023568.tif 000005
【図５】
2007023568.tif 000006
【図６】
2007023568.tif 000007
【図７】
2007023568.tif 000008
【図８】
2007023568.tif 000009
【図９】
2007023568.tif 000010
【国際調査報告】
2007023568.tif 000011
2007023568.tif 000012
2007023568.tif 000013
2007023568.tif 000014